(57)【要約】【課題】  活性汚泥のセレン還元能力を高めることで、排水中の窒素とセレンを効率良く還元して除去することができる排水の生物学的処理方法を提供する。【解決手段】  排水（１）を、第１有機物（５）存在の下に嫌気状態で担体に付着した活性汚泥と接触させる第１嫌気処理工程（６）と、この第１嫌気処理工程（６）の処理水を第２有機物（７）存在の下に嫌気状態で担体に付着した活性汚泥と接触させる第２嫌気処理工程（８）とを含んでなることを特徴とする。さらに、第２嫌気処理工程（８）の処理水を固液分離する固液分離工程（１０）や、排水を第１嫌気処理工程（６）に導入する前に好気状態で担体に付着した活性汚泥と接触させる第１好気処理工程（２）や、第２嫌気処理工程の処理水（１４ａ）または固液分離工程の分離処理水（１１）を好気状態で担体に付着した活性汚泥と接触させる第２好気処理工程（１３）を含むことができる。【選択図】図１
2006205097.tif 000002
【特許請求の範囲】
【請求項１】
排水を、第１の有機物存在の下に嫌気状態で担体に付着した活性汚泥と接触させる第１の嫌気処理工程と、この第１の嫌気処理工程の処理水を第２の有機物存在の下に嫌気状態で担体に付着した活性汚泥と接触させる第２の嫌気処理工程とを含んでなる排水の生物学的処理方法。
【請求項２】
前記第２の有機物が、酢酸および酢酸塩、エタノール、グリセロール、乳酸およびその塩、ピルビン酸およびその塩、フマル酸およびその塩、リンゴ酸およびその塩、コハク酸およびその塩、グルタミン酸およびその塩、クエン酸およびその塩、グルコース、フラクトース並びにシュークロースから選ばれた１種以上である請求項１に記載の排水の生物学的処理方法。
【請求項３】
前記第２の嫌気処理工程の処理水を固液分離する固液分離工程をさらに含んでなる請求項１または２に記載の排水の生物学的処理方法。
【請求項４】
前記排水を、前記第１の嫌気処理工程に導入する前に、好気状態で担体に付着した活性汚泥と接触させる第１の好気処理工程をさらに含んでなる請求項１〜３のいずれか１項に記載の排水の生物学的処理方法。
【請求項５】
前記第２の嫌気処理工程の処理水を、または前記固液分離工程の分離処理水を、好気状態で担体に付着した活性汚泥と接触させる第２の好気処理工程をさらに含んでなる請求項１〜４のいずれか１項に記載の排水の生物学的処理方法。
【請求項６】
前記第１の嫌気処理工程および前記第２の嫌気処理工程から排出される洗浄排水を、並びに前記固液分離工程で分離された沈殿物を、第１好気処理工程および第２好気処理工程に混入させずに系外に排出する工程をさらに含んでなる請求項１〜５のいずれか１項に記載の排水の生物学的処理方法。
【請求項７】
前記固液分離工程で分離された沈殿物を、第１好気処理工程および第２好気処理工程に混入させずに系外に排出する工程をさらに含んでなる請求項３〜６のいずれか１項に記載の排水の生物学的処理方法。
【発明の詳細な説明】
【技術分野】
【０００１】
本発明は、排水の生物学的処理方法に関し、特に、石炭等の燃焼排ガス中の硫黄酸化物質を除去する湿式排煙脱硫装置等から排出される排水など、窒素と溶解性セレン（６価および４価）を含む排水の生物学的処理方法に関する。
【背景技術】
【０００２】
石炭等を燃料とする燃焼排ガス中の硫黄酸化物質を除去する湿式排煙脱硫装置等から排出される排水には、排ガス（灰を含む）中の微量金属類や窒素化合物（アンモニア性窒素、硝酸性窒素および亜硝酸性窒素）等が含まれるため、放流規制値を満足する水質まで無害化して放流されている。
【０００３】
今日放流水質規制強化の一環として、セレン（Se）等の金属類が規制対象物資となった。因みに石炭を燃料とする燃焼排ガス中の硫黄酸化物質を除去する湿式排煙脱硫装置等から排出される排水中のセレン濃度は、５ｍｇ/ｌ程度（主に６価セレンが大部分を占める）であるのに対し、セレンの放流規制値は０．１ｍｇ/ｌ以下であるため、セレンの処理は不可欠である。
【０００４】
セレンは石炭の燃焼に際し排ガスに含まれて排出され、排水に６価や４価のセレン酸塩（ＳｅＯ42-、ＳｅＯ32-）として溶解している。このセレン酸塩のうち４価セレン（主としてＳｅＯ32-の形態で存在する）は鉄等と難溶解性の金属塩を形成するため、凝集沈殿処理による除去が可能である。しかし６価セレン（ＳｅＯ42-の形態で存在する）は、鉄等と難溶解性の金属塩を形成せず、イオン交換樹脂や活性炭吸着処理でも除去することができない。そのため２価の鉄塩や金属鉄によって６価セレンを一旦４価セレンに還元した後、鉄塩と難溶解性の金属塩を形成する方法があるが、これらの方法はその反応条件から運転費が高く、汚泥発生量が非常に多いという欠点がある。
【０００５】
上述の従来法ではセレンを規制値以下に処理することは困難であるが、排水中の６価セレンを４価セレンに還元することができれば、物理化学的処理方法で除去することが可能となる。その方法として以下の生物学的処理方法が提案されている。
【０００６】
特許文献１には、嫌気性反応槽にセレン含有水および硝酸イオンを供給し、さらに硝酸イオンの脱窒反応当量より過剰の有機物を供給して槽内の脱窒細菌と嫌気状態で接触させることで、生物反応により６価および４価セレンを単体セレンに還元した後、固液分離する処理方法が記載されている。
【０００７】
特許文献２には、第１の嫌気性反応槽と第２の嫌気性反応槽を設けて排水を多段階で嫌気処理する方法において、各槽の後段に第１の固液分離槽と第２の固液分離槽を設けることにより、一方の嫌気処理槽の生物汚泥が他方の嫌気処理槽に移動しないようにして、各嫌気処理槽ごとにそれぞれ独立した生物相の生物汚泥を用いること、および第１の嫌気性反応槽および第２の嫌気性反応槽の両方に、有機物（メタノール）と硝酸（亜硝酸）塩を添加することが記載されている。
【０００８】
特許文献３には、バチルス属に属し、セレン酸還元能を有する新規性微生物を、セレン酸又はその含有物と接触させるセレン酸の還元方法が記載されている。
【０００９】
特許文献４には、図２に示すセレンおよび窒素化合物を含有する排水の処理方法が記載されている。なお、排水１中に含まれる窒素化合物がアンモニアである場合は、前段に設けられた硝化槽（図示省略）により、あらかじめ好気性条件で活性汚泥と接触させてアンモニア性窒素を硝酸性窒素に変換させておく。この排水１を嫌気処理槽２０に導入し、嫌気状態のもとに有機物２１を添加し、浮遊状態の脱窒菌に接触させて硝酸性窒素を分解する。同時に脱窒菌により排水中に含まれる６価セレンを４価セレンに還元し、さらに単体セレンまで還元して固形化する。なお、有機物２１としてはメタノールを用い、排水１中の窒素濃度が低い場合は硝酸（または亜硝酸）塩２２を嫌気処理槽２０に添加する。
【００１０】
次に、この嫌気処理槽２０の処理液を好気処理槽２４に導入し、散気装置２５より空気４を供給して、好気性微生物の作用によって残存する有機物（メタノール）を分解する。さらに、この好気処理槽２４の処理液を固液分離槽２６に導入し、固形物となった単体セレンを沈殿させる。汚泥の一部は、嫌気処理槽２０の汚泥濃度を一定に保持するため返送汚泥２７として嫌気処理槽２０に返送し、残部は、余剰汚泥２８として系外に持ち出し処分する。一方、固液分離槽２６からの上澄液は処理水１４ｂとして系外に排出する。
【特許文献１】特開平０８-２９９９８６号公報
【特許文献２】特開平０９-１２２６８８号公報
【特許文献３】特開平０９-２４８５９５号公報
【特許文献４】特開平１１-１８８３８７号公報
【発明の開示】
【発明が解決しようとする課題】
【００１１】
図２に示した処理方法（特許文献４）は、窒素化合物とセレンを同時に処理できる利点があるが、嫌気処理槽２０や好気処理槽２４で浮遊方式活性汚泥を用いている。セレンは微生物に対して毒性があることが知られており、活性汚泥内のセレン蓄積量の増加に伴い、セレン処理性能の悪化や活性汚泥の凝集性悪化の原因となって固液分離性能の低下を招きやすい。
【００１２】
また、嫌気処理槽２０に後続する好気処理槽２４において好気状態に保持するため、嫌気処理槽２０で生じた４価セレンや単体セレンが活性汚泥によって再び難処理性の６価セレンに酸化されて再溶出し、セレン除去能力を低下させる。それを防止するため好気処理槽２４でＯＲＰ（酸化還元電位）制御が必要となる。
【００１３】
特許文献１、特許文献２に記載の処理方法は、いずれも脱窒のため（酸素源として）の硝酸イオン（亜硝酸イオン）を、排水中のアンモニアの硝化によって得たり、あるいは硝酸イオンを強制的に添加することが不可欠である。このうち特許文献２に記載された処理方法は、２段の嫌気処理によりそれぞれ異なる生物相を用いて処理するものであるが、嫌気処理槽においていずれも浮遊方式活性汚泥を用いているため、やはり特許文献４と同様に浮遊方式活性汚泥に伴う問題点がある。
【００１４】
特許文献３に記載の新規微生物による処理方法では、これに際して、培養、純粋分離、汚染排水への接種と培養等の煩雑な手順と長期間の準備が必要となる。またセレン以外、窒素化合物が共存する場合の処理については開示されていない。
【００１５】
そこで本発明は、上記の問題点に鑑み、活性汚泥のセレン還元能力を高めることで、排水中の窒素とセレンを効率良く還元して除去することができる排水の生物学的処理方法を提供することを目的とする。
【課題を解決するための手段】
【００１６】
本発明者らは、産業排水処理設備および下水処理場の各種活性汚泥を用いてセレン還元処理について検討した結果、上述の生物学的処理方法とは異なり、いずれの活性汚泥でも、硝酸性窒素の共存によって活性汚泥のセレン還元処理能力がむしろ低下して不安定となること、活性汚泥の馴致所要期間に大きな影響を及ぼすことを見出した。
【００１７】
すなわち、本発明に係る排水の生物学的処理方法は、排水を、第１の有機物存在の下に嫌気状態で担体に付着した活性汚泥と接触させる第１の嫌気処理工程と、この第１の嫌気処理工程の処理水を第２の有機物存在の下に嫌気状態で担体に付着した活性汚泥と接触させる第２の嫌気処理工程とを含んでなることを特徴とするものである。
【００１８】
なお、前記排水は、窒素とセレンを含有する排水が好ましく、例えば、石炭等の燃焼排ガス中の硫黄酸化物質を除去する湿式排煙脱硫装置等から排出される、主として硝酸性窒素のほか、アンモニア性窒素、亜硝酸性窒素等を含む窒素と主に６価セレンが大部分を占めるセレンを含有する排水がより好ましい。また、前記第１の有機物は、メタノールが好ましい。
【００１９】
前記第２の有機物は、酢酸および酢酸塩、エタノール、グリセロール、乳酸およびその塩、ピルビン酸およびその塩、フマル酸およびその塩、リンゴ酸およびその塩、コハク酸およびその塩、グルタミン酸およびその塩、クエン酸およびその塩、グルコース、フラクトース並びにシュークロースから選ばれた１種以上であることが好ましい。
【００２０】
本発明に係る排水の生物学的処理方法は、前記第２の嫌気処理工程の処理水を固液分離する固液分離工程をさらに含むことができる。この固液分離工程では、第２鉄塩またはアルカリ剤を添加することが好ましい。
【００２１】
本発明に係る排水の生物学的処理方法は、前記排水を、前記第１の嫌気処理工程に導入する前に、好気状態で担体に付着した活性汚泥と接触させる第１の好気処理工程をさらに含むことができる。
【００２２】
本発明に係る排水の生物学的処理方法は、前記第２の嫌気処理工程の処理水を、または前記固液分離工程の分離処理水を、好気状態で担体に付着した活性汚泥と接触させる第２の好気処理工程をさらに含むことができる。
【００２３】
本発明に係る排水の生物学的処理方法は、前記第１の嫌気処理工程および前記第２の嫌気処理工程から排出される洗浄排水を、並びに前記固液分離工程で分離された沈殿物を、第１好気処理工程および第２好気処理工程に混入させずに系外に排出する工程をさらに含むことができる。
【００２４】
本発明に係る排水の生物学的処理方法は、前記固液分離工程で分離された沈殿物を、第１好気処理工程および第２好気処理工程に混入させずに系外に排出する工程をさらに含むことができる。
【発明の効果】
【００２５】
本発明では、脱窒工程およびセレン還元工程、好ましくはさらに硝化工程および生物酸化工程に適用する全ての装置に、微生物付着用担体として固定床方式を採用したので、浮遊方式活性汚泥にみられるようなセレン蓄積量の増加に伴う凝集性悪化等の変調を生じることがない。したがって、本発明によれば、排水中の窒素およびセレンを処理するに際し、活性汚泥の処理性能を阻害することなく効果的に除去することができる。
【００２６】
また本発明では固定床方式を採用したことにより、浮遊式活性汚泥に比べて汚泥濃度を高く保持でき、固定床内での硝酸性窒素の濃度勾配により、処理水の硝酸性窒素濃度を、セレン還元菌に対する硝酸性窒素の影響限界濃度（閾値）以下に安定して達成することができる。そのため排水中の窒素とセレンの負荷変動や阻害物質（過硫酸塩等）に対しても抵抗性がある。
【００２７】
浮遊式活性汚泥では、不溶性セレン（単体セレン）の排出は余剰汚泥と共に人為的に排出しなければならず、排水の窒素とセレン負荷によっては活性汚泥中のセレン高濃度蓄積が避けられない場合がある。それに対し本発明の固定床では、定期的にろ床を洗浄することによりろ床から自然剥離した汚泥と不溶性セレン（単体セレン）をそれぞれ効率よく排出することができ、その結果ろ床内のセレン蓄積量の増加に伴う処理性低下等を回避することができる。
【００２８】
従来、排水の窒素濃度が低い（ＮＯ3‐Ｎが約５０ｍｇ/ｌ以下）場合、浮遊式活性汚泥では汚泥濃度と処理性能を維持するために窒素濃度が約１００ｍｇ/ｌ以上（ＮＯ3‐Ｎとして）となるように、窒素化合物（アンモニア性または硝酸性窒素）を添加する必要がある。本発明では固定床方式を採用したことにより、排水の窒素濃度に応じて汚泥濃度が自然に制御され、窒素およびセレン処理性が維持されるため、窒素化合物を人為的に添加する必要がない。本発明は特に排水の窒素濃度が低い場合に効果的である。
【００２９】
さらに、本発明では、第２嫌気処理工程に引き続き固液分離工程で直ちに固形物を分離することで、還元されて生成した４価セレンおよび単体セレンが第２好気処理工程において再び６価セレンに酸化されることなく、セレン処理性能が良好に維持される。
【００３０】
また、本発明では、前段の固液分離工程で４価セレンおよび単体セレンが分離されて上澄水には含まれないため、第２好気処理工程で６価セレンの再溶出を防止するためのＯＲＰ（酸化還元電位）の制御等が不要となり設備を簡素化することができる。
【発明を実施するための最良の形態】
【００３１】
添付の図面を参照して、本発明に係る排水の生物学的処理方法の一実施形態を説明する。図１は、本発明に係る排水の生物学的処理方法を実施するために好適な排水の生物学的処理システムの一例を示す模式図である。
【００３２】
図１に示すように、本システムは、排水１を脱窒処理する第１嫌気処理槽６と、この第１嫌気処理槽６の処理水をセレン還元処理する第２嫌気処理槽８とで主に構成されている。なお、第１嫌気処理槽６の前段には、排水１を硝化処理する第１好気処理槽２が設けられている。また、第２嫌気処理槽８の後段には、この処理水を生物酸化処理する第２好気処理槽１３が設けられている。さらに、この第２嫌気処理槽８と第２好気処理槽１３の間には、第２嫌気処理槽８の処理水を固液分離する固液分離槽１０が設けられている。
【００３３】
なお、第１嫌気処理槽６および第２嫌気処理槽８には、槽内の固定床を逆洗するための逆洗用水１５を供給する配管がそれぞれ槽底部に設けられているとともに、この逆洗排水を排出するための配管がそれぞれ槽天井部に設けられている。
【００３４】
このような構成によれば、先ず、排煙脱硫排水等の窒素化合物とセレンを含む排水１を第１嫌気処理槽２に導入する。ここで、窒素化合物としてはアンモニア性窒素や硝酸性窒素があげられ、図中、アンモニア性窒素を含む排水を１ａ、硝酸性窒素のみを含む排水を１とした。このアンモニア性窒素を含む排水１ａは第１好気処理槽２に導入する。また硝酸性窒素のみを含む排水１は後述する第１嫌気処理槽６に直接導入する。
【００３５】
第１好気処理槽２には、微生物付着担体として固定床が設けられており、アルカリ剤１７によってｐＨ５〜９、好ましくはｐＨ６．５〜７．５に調整し、槽内に設けられた散気装置に空気４を供給することで曝気する。これによって好気状態で排水１ａ中のアンモニア性窒素が、担体に固定された硝化菌の作用により次式のごとく反応して、硝酸性窒素に酸化される。
ＮＨ4+＋Ｏ2→ＮＯ2-＋４Ｈ+
２ＮＯ2-＋Ｏ2→２ＮＯ3-
【００３６】
固定床の微生物付着担体としては、砂、活性炭、アンスラサイト（無煙炭）、プラスチック製平板等が使用できる。
【００３７】
ついで、第１好気処理槽２の処理液３または硝酸性窒素を含む排水１を、第１嫌気処理槽６に導入する。第１嫌気処理槽６には、微生物付着担体として下向流（または上向流でもよい）の固定床が設けられており、第１嫌気処理槽６に第１の有機物としてメタノール５を添加すると、嫌気性条件下で排水中の硝酸性窒素が、脱窒菌の作用により次式のごとく反応して分解される。
６ＮＯ3-＋５ＣＨ3ＯＨ→５ＣＯ2＋３Ｎ2＋７Ｈ2Ｏ＋６ＯＨ-
【００３８】
固定床の微生物付着担体としては、砂、活性炭、アンスラサイト（無煙炭）、プラスチック粒子のほか、ポリビニルアルコールやポリエチレングリコールに包括固定したものでもよい。
【００３９】
第１嫌気処理槽６の固定床内では、付着汚泥が１００００〜２００００ｍｇ／ｌと高濃度に保持されるため、浮遊方式の活性汚泥とは異なって、固定床内の通水方向に対して硝酸性窒素の濃度勾配が生じ、排水中の硝酸性窒素濃度に応じた脱窒作用が安定して起きる。すなわち、第１嫌気処理槽６に供給する硝酸性窒素負荷が充填材容積１ｍ3あたり０．５から５ｋｇ/日、メタノール添加量が排水中の硝酸性窒素量に対して２〜３（重量比）であれば、第１嫌気処理槽６の処理水中の硝酸性窒素および亜硝酸性窒素濃度は２０ｍｇ／ｌ以下となる。
【００４０】
次に、第１嫌気処理槽６の処理液に、第２の有機物として酢酸または酢酸塩７を添加し、これを第２嫌気処理槽８に導入する。第２嫌気処理槽８には、微生物付着担体として前記と同様に下向流（または上向流でもよい）の固定床が設けられており、嫌気性条件下で硝酸性窒素および亜硝酸性窒素濃度がさらに脱窒されるとともに、セレン還元菌の作用によってセレンが還元されて、６価セレンは４価セレンまたは単体セレンとなって、第２嫌気処理槽８の付着汚泥内に蓄積する。その反応は次式のとおりと推定される。
ＳｅＯ42-→ＳｅＯ32-→Ｓｅ0
【００４１】
なお、第２嫌気処理槽８に添加する第２の有機物としては、上記の酢酸または酢酸塩７のほか、エタノール、グリセロール、乳酸およびその塩、ピルビン酸およびその塩、フマル酸およびその塩、リンゴ酸およびその塩、コハク酸およびその塩、グルタミン酸およびその塩、クエン酸およびその塩、グルコース、フラクトースならびにシュークロースから選ばれた１種以上のものが使用できる。
【００４２】
第２嫌気処理槽８に添加する第２の有機物の添加量は、第２嫌気処理槽８に供給するセレン濃度が５ｍｇ／ｌ程度以下（６価セレンとして）であれば、排水中のセレン量に対して０．３から５０（各有機物としての重量比）、好ましくは２〜４０（各有機物としての重量比）とすることで、第２嫌気処理槽８の処理水１４ａのセレン濃度を０．１ｍｇ/ｌ未満にすることができる。
【００４３】
第１嫌気処理槽６および第２嫌気処理槽８では、担体に付着した活性汚泥の増殖に伴い固定床のろ過差圧が上昇するため、定期的に逆洗用水１５ａ、１５ｂを第１嫌気処理槽６および第２嫌気処理槽８の固定床底部から上向流で供給してそれぞれの固定床を洗浄する。逆洗頻度は１〜３０日間程度に１回である。排出された逆洗排水１６ａ、１６ｂには担体付着した汚泥からの剥離汚泥のほか、不溶化された単体セレンが含まれており、これらの逆洗排水１６は第１好気処理槽２および後述する第２好気処理槽に混入しないように系外に導き、固液分離し固形物として脱水ケーキ化して処分する（図示省略）。この固液分離法としては凝集沈殿処理のほか膜分離法等が使用できる。
【００４４】
第２嫌気処理槽８の処理水１４ａは、固液分離槽１０を経て、または固液分離槽１０を経ないで、直接第１好気処理槽１３に導入する。第２嫌気処理槽の処理水１４ａに４価セレンまたは単体セレンが残存する場合は固液分離槽１０を経ることが好ましく、４価セレンおよび単体セレンが残存しない場合は固液分離槽１０を経ないで直接第２好気処理槽１３に導入する。
【００４５】
固液分離槽１０では、処理水１４ａに凝集剤９を添加し、ｐＨ５〜９好ましくはｐＨ６〜８となるようにアルカリ剤１７で調整する。固液分離槽１０としては凝集沈殿処理のほか、ＭＦ膜分離が使用できる。凝集剤９としては塩化第二鉄、硫酸第二鉄などの第２鉄塩が使用でき、アルカリ剤１７としては水酸化ナトリウム、水酸化カリウム、水酸化カルシウム等が使用できる。第２嫌気処理槽の処理水１４ａに含まれる４価セレンは、第２鉄塩によって次の反応式のごとく不溶化し、単体セレンは水酸化第二鉄の凝集反応により共沈する。
３ＳｅＯ32-＋２Ｆｅ3+→Ｆｅ2（ＳｅＯ3）3↓
【００４６】
不溶化した４価セレンは、固液分離して沈殿物１２とした後、系外で脱水ケーキ化して（図示省略）、セレンが第１好気処理槽２および第２好気処理槽１３に混入しないようにする。
【００４７】
第２好気処理槽１３は、活性汚泥が付着した担体を充填した固定床が好ましい。付着担体としては、第１好気処理槽２と同様、砂、活性炭、アンスラサイト（無煙炭）、プラスチック製の平板等が使用できる。第２好気処理槽１３では好気状態に保持するために、槽内に設けられた散気装置に空気４が供給されており、第２嫌気処理槽の処理水１４ａに残存する有機物（メタノール、酢酸または酢酸塩ほか）が好気性微生物により炭酸ガスと水に分解される。
【００４８】
なお、第２嫌気処理槽の処理水１４ａに含まれる４価セレンを固液分離槽１０で除去せずに第１好気処理槽１３に供給した場合、４価セレンの一部は微生物の作用によって難処理性の６価セレンに再酸化されて処理水１４のセレン濃度を上昇させ、セレンの除去効率を悪化させる。
【実施例１】
【００４９】
本発明の実施例として図１に示す装置を、また比較例として図２に示す装置を用いて、以下の手順にて排水を処理する試験を行った。
【００５０】
窒素化合物およびセレンを含む排水として、石炭焚火力発電所における排煙脱硫排水を用いた。この排水の性状を次に示す。
アンモニア性窒素：０．７ｍｇ／ｌ
硝酸性窒素：４０ｍｇ／ｌ
６価セレン：０．３ｍｇ／ｌ
【００５１】
前記排水を用い、下記実施例１および比較例の処理条件で各々処理した。なお、実施例１および比較例ともに排水中の窒素は硝酸性窒素が大部分であったため、第１好気処理（硝化処理）は実施せず、以下の処理工程で直接処理した。
【００５２】
（実施例１の処理条件）
排水供給量：３２ｌ／日
第１嫌気処理工程の接触時間：０．７時間
メタノール添加量：１００ｍｇ／ｌ
第２嫌気処理工程の接触時間：０．４時間
酢酸添加量：５ｍｇ／ｌ
固液分離工程の滞留時間：１日間
第２好気処理工程の接触時間：０．５日間
第２嫌気処理工程の逆洗頻度：５日間に１回
【００５３】
（比較例の処理条件）
排水供給量：２ｌ／日
嫌気処理工程の滞留時間：１日間
ＭＬＳＳ：約４０００ｍｇ／ｌ
メタノール添加量：１００ｍｇ／ｌ
硝酸塩添加量：６０ｍｇ／ｌ（Ｎとして）
好気処理工程の滞留時間：０．８日間
固液分離工程の滞留時間：１．５日間
【００５４】
実施例１では、下水汚泥を各工程毎に約１０００ｐｐｍ接種し、前記処理条件で馴致を開始した。第２嫌気処理工程でセレン処理能力が発揮される迄の期間（馴致期間）は約１週間以内で、そのときの処理水１４のセレン濃度は０．０６ｍｇ／ｌであった。
【００５５】
比較例においては、嫌気処理槽に下水汚泥を２０００〜３０００ｐｐｍ接種し、前記処理条件で馴致を開始した結果、セレン処理能力が発揮されるのに約１ヶ月を要し、そのときの処理水１４ｂのセレン濃度は０．０７から０．１５ｍｇ/ｌと変動した。
【００５６】
前記の実施例１および比較例で馴致が終了後約１週間後に得られた処理水の性状は次のとおりであった。
【００５７】
【表１】
2006205097.tif 000003
【００５８】
以上の結果から、本発明を採用することによってセレン処理能力を発揮させるために必要な馴致期間を大幅に短縮でき、省力化できることが検証された。また本発明では馴致終了後の処理水水質が安定していることが検証された。
【実施例２】
【００５９】
実施例１の第２嫌気処理工程で添加した酢酸に代えて、エタノール、グリセロール、乳酸、ピルビン酸、フマル酸、リンゴ酸、コハク酸、グルタミン酸、クエン酸、グルコース、フラクトース、シュークロースを添加したことを除いて、実施例１と同様の排水性状および処理条件で試験を行い、その処理水のセレン濃度を測定した。その結果を表２に示す。
【００６０】
【表２】
2006205097.tif 000004
【００６１】
表２に示すように、各種有機物のいずれも、処理水の全セレン濃度は０．１ｍｇ／ｌ以下を達成でき、セレン還元処理に効果があることが検証された。
【図面の簡単な説明】
【００６２】
【図１】本発明に係る排水の生物学的処理方法の一実施形態を示すフロー図である。
【図２】従来の排水の生物学的処理方法を示すフロー図である。
【符号の説明】
【００６３】
１、１ａ  排水
２  第１好気処理槽
３  第１好気処理槽処理水
４  空気
５  メタノール
６  第１嫌気処理槽
７  酢酸または酢酸塩
８  第２嫌気処理槽
９  凝集剤
１０  固液分離槽
１１  分離処理水
１２  沈殿物
１３  第２好気処理槽
１４、１４ａ、１４ｂ  処理水
１５  逆洗用水
１６  逆洗排水
１７  アルカリ剤
２０  嫌気処理槽
２１  有機物（メタノール）
２２  硝酸（亜硝酸）塩
２３  撹拌機
２４  好気処理槽
２５  散気装置
２６  固液分離槽
２７  返送汚泥
２８  余剰汚泥
【図１】
2006205097.tif 000005
【図２】
2006205097.tif 000006